(57)【要約】【課題】不正目的の操作に対してのセキュリティ性能をより高めたカード処理装置を提供する。【解決手段】  カードリーダ１は、磁気ヘッド６と、フロントセンサ７２と、リアセンサ８２と、状態監視部１００とを備える。磁気ヘッド６は、収容されるカード２の記録情報を読み取る。フロントセンサ７２は、カード挿入部からカード収容部にカード２が挿入されたことを検出する。リアセンサ８２は、フロントセンサ７２よりもカード２の挿入方向における奥側に配置される。状態監視部１００は、リアセンサ８２でカード２の挿入が検出されているものの、フロントセンサ７２でカード２の挿入が検出されない場合、フロントセンサ７２に異常が生じていると判断して警告する。【選択図】図４
2018055573.tif 000002
【特許請求の範囲】
【請求項１】
カードをユーザが手動で操作する手動式のカード処理装置であって、
前記カードを挿入するカード挿入部と、
挿入された前記カードの後端部が前記カード挿入部から露出した状態で前記カードを収容するカード収容部と、
前記カード収容部に収容される前記カードの記録情報を読み取る読取部と、
前記カード挿入部から前記カード収容部に前記カードが挿入されたことを検出する第１検出部と、
前記第１検出部よりも前記カードの挿入方向における奥側に配置され、前記カードが挿入されたことを検出する第２検出部と、
前記第１検出部及び前記第２検出部における前記カードの検出の関係により、不正を検出する状態監視部とを備える
ことを特徴とするカード処理装置。
【請求項２】
前記状態監視部は、
不正に前記カードが処理されたことを通知するアラーム部を備える
ことを特徴とする請求項１に記載のカード処理装置。
【請求項３】
前記第１検出部及び前記第２検出部は、前記カードが接触する接触部材と、前記接触部材の変位を検出するセンサとを備える機械式の検出手段である
ことを特徴とする請求項１又は２に記載のカード処理装置。
【請求項４】
前記状態監視部は、
前記読取部からの出力信号を検知し、前記第１検出部及び前記第２検出部における前記カードの検出の関係と併せて不正を検出する
ことを特徴とする請求項１乃至３のいずれか１項に記載のカード処理装置。
【請求項５】
カードをカード処理装置のユーザが手動で操作する手動式のカード処理装置により実行されるカード処理装置の制御方法であって、
前記カード処理装置は、
前記カードを挿入するカード挿入部と、
挿入された前記カードの後端部が前記カード挿入部から露出した状態で前記カードを収容するカード収容部と、
前記カード収容部に収容される前記カードの記録情報を読み取る読取部と、
前記カード挿入部から前記カード収容部に前記カードが挿入されたことを検出する第１検出部と、
前記第１検出部よりも前記カードの挿入方向における奥側に配置され、前記カードが挿入されたことを検出する第２検出部とを備え、
前記第１検出部及び前記第２検出部における前記カードの検出の関係により、不正を検出する
ことを特徴とするカード処理装置の制御方法。
【発明の詳細な説明】
【技術分野】
【０００１】
本発明は、カード処理装置及びカード処理装置の制御方法に関する。
【背景技術】
【０００２】
従来、カード処理装置として、例えば、特許文献１を参照すると、カードに記録されたデータを、ユーザがカードを手動で操作する手動式のカード処理装置が記載されている（以下、従来技術１という。）。
従来技術１のカード処理装置は、カード処理装置内部にカードを挿入する際、あるいは、カード処理装置からカードを引き抜く際にデータの再生等を行ういわゆるディップ式のカードリーダである。
この従来技術１のカードリーダのようなカード処理装置は、例えば、ゲームセンター等の遊戯場やカジノ等のように、遊戯者（以下、「プレイヤー」という。）のカードが所定のカード処理装置内に挿入されていることをもって、遊戯時間に応じたポイントを与えたり、遊戯状況を管理したりすることがある。
このような場合、遊戯者がカードをカード処理装置から取り忘れたり、カードが盗難されたりするのを防止する必要がある。
【０００３】
ここで、特許文献２を参照すると、カードの挿入を検出するためのセンサとして、カード走行路の入口側に配置されるフロントセンサと、カード走行路の奥側に配置されるリアセンサとの２個のセンサを備えている従来のカード処理装置が記載されている（以下、従来技術２という。）。
従来技術２のカード処理装置は、更に、挿入されたカードの引き抜きを監視する際に、リアセンサでカードが検知されなくなり、カードが引き抜かれたら所定時間を計測するタイマ部を備えている。これにより、挿入されたカードの引き抜きを監視する際に、リアセンサでカードが検知されなくなる「カード引き抜き」を待機し、カードが引き抜かれたら所定時間を計測するタイマを起動し、その所定時間内にフロントセンサでカードが検知されなくならないと、途中でカードが停止したものと扱う。
【先行技術文献】
【特許文献】
【０００４】
【特許文献１】国際公開第２００８／１４９９５２９号
【特許文献２】特開２００４−３４２０８６号公報
【発明の概要】
【発明が解決しようとする課題】
【０００５】
ここで、従来技術１、２のカード処理装置では、カード引き抜き監視をする際、リアセンサからのカードの抜けを待機し、検知後にフロントセンサでの検知を待機するように構成していた。このため、リアセンサからのカードの抜けが確認されない限り、カードの引き抜きが判断できなかった。
したがって、不正を働こうとするプレイヤー等によりカードと一緒に遮蔽物が押し込まれると、それが滞留してリアセンサに検知され、カードの抜けが検知できないことがあった。結果として、カード引き抜き判定自体ができないことがあった。
【０００６】
そこで、本発明の課題は、このような状況に鑑みてなされたものであり、不正目的の操作に対するセキュリティ性能を高めることができるカード処理装置を提供することにある。また、本発明の課題は、不正目的の操作に対するセキュリティ性能を高めることができるカード処理装置の制御方法を提供することにある。
【課題を解決するための手段】
【０００７】
本発明のカード処理装置は、カードをユーザが手動で操作する手動式のカード処理装置であって、前記カードを挿入するカード挿入部と、挿入された前記カードの後端部が前記カード挿入部から露出した状態で前記カードを収容するカード収容部と、前記カード収容部に収容される前記カードの記録情報を読み取る読取部と、前記カード挿入部から前記カード収容部に前記カードが挿入されたことを検出する第１検出部と、前記第１検出部よりも前記カードの挿入方向における奥側に配置され、前記カードが挿入されたことを検出する第２検出部と、前記第１検出部及び前記第２検出部における前記カードの検出の関係により、不正を検出する状態監視部とを備えることを特徴とする。
このように構成することで、カード処理装置は、第２検出部でカードの挿入が検出されているものの、第１検出部で前記カードの挿入が検出されない場合、第１検出部に異常が生じていると判断して警告することで、挿入されたカードが不正に引き抜かれた等の不正目的の操作に対してのセキュリティ性能を、従来より高めることが可能になる。
【０００８】
本発明のカード処理装置は、前記状態監視部は、不正に前記カードが処理されたことを通知するアラーム部を備えることを特徴とする。
このように構成することで、不正目的の操作に対してのセキュリティ性能を、従来より高めることが可能になる。
【０００９】
本発明のカード処理装置は、前記第１検出部及び前記第２検出部は、前記カードが接触する接触部材と、前記接触部材の変位を検出するセンサとを備える機械式の検出手段であることを特徴とする。
このように構成することで、発光素子と受光素子との間をカード状媒体が遮ることでカード状媒体を検出する光学式の検出手段では検出が困難な透明なカード状媒体や角が丸くなっている等の規格外のカードであっても、第１検出部で適切に検出することが可能になる。
【００１０】
本発明のカード処理装置は、前記状態監視部は、前記読取部からの出力信号を検知し、前記第１検出部及び前記第２検出部における前記カードの検出の関係と併せて不正を検出することを特徴とする。
このように構成することで、不正目的でカード処理装置に細工された場合であっても、次にカードを挿入した正規ユーザに対して警告して対応させることができる。
【００１１】
本発明のカード処理装置の制御方法は、カードをカード処理装置のユーザが手動で操作する手動式のカード処理装置により実行されるカード処理装置の制御方法であって、前記カード処理装置は、前記カードを挿入するカード挿入部と、挿入された前記カードの後端部が前記カード挿入部から露出した状態で前記カードを収容するカード収容部と、前記カード収容部に収容される前記カードの記録情報を読み取る読取部と、前記カード挿入部から前記カード収容部に前記カードが挿入されたことを検出する第１検出部と、前記第１検出部よりも前記カードの挿入方向における奥側に配置され、前記カードが挿入されたことを検出する第２検出部とを備え、前記第１検出部及び前記第２検出部における前記カードの検出の関係により、不正を検出することを特徴とする。
このように構成することで、不正目的の操作に対してのセキュリティ性能を、従来より高めることが可能になる。
【発明の効果】
【００１２】
本発明によれば、第１検出部及び第２検出部におけるカードの検出の関係により、不正を検出する状態監視部を備えることで、不正目的の操作に対してのセキュリティ性能をより高めたカード処理装置を提供することができる。
【図面の簡単な説明】
【００１３】
【図１】本発明の実施の形態に係るカード処理装置の外観構成を示す斜視図である。
【図２】図１に示すカード処理装置の底面図であり、各部を制御するための各種回路を含む回路基板を含む各部の位置関係の一例を示す。
【図３】図１に示すカード処理装置の断面図であり、（ａ）はカードが挿入されていない状態でのＡ−Ａ'断面図であり、（ｂ）はカードが挿入されている状態のＡ−Ａ'断面図である。
【図４】図２に示す回路基板に形成される制御部及び関連部の制御構成を示すブロック図である。
【図５】本発明の実施の形態に係るカード挿入処理のフローチャートである。
【図６】本発明の実施の形態に係るカード引抜処理のフローチャートである。
【発明を実施するための形態】
【００１４】
以下、図面を参照しながら、本発明の実施の形態を説明する。
【００１５】
〔カードリーダ１の概略構成〕
図１は、本発明の実施の形態に係るカードリーダ１の外観構成を示す斜視図である。図２は、本発明のカードリーダ１に各部を制御するための各種回路を含む回路基板が設けられた一例を示す底面図である。図３は、図１に示すカードリーダ１の断面図である。図３（ａ）は図１に示すカード処理装置においてカードが挿入されていない状態でのＡ−Ａ'断面図であり、図３（ｂ）は、図１に示すカードリーダ１においてカードが挿入されている状態のＡ−Ａ'断面図である。図４は、図２に示すカード状媒体処理装置の制御構成を示すブロック図である。
【００１６】
本発明の実施の形態に係るカード処理装置は、カード２をユーザが手動で操作して、カード２に記録されたデータの再生を行うためのカードリーダである。具体的には、本実施形態におけるカード処理装置は、ユーザが手動で装置内部にカード２を挿入し、又、装置内部からカード２を引き抜くことで、カード２に記録されたデータの再生を行う、いわゆるディップ式のカードリーダである例について説明する。
以下で、本実施形態のカード処理装置を「カードリーダ１」と称する。
また、カードリーダ１は、例えば、ゲームセンター等の遊戯場やカジノ等のように、遊戯者（プレイヤー）であるユーザのカード２が、カードリーダ１内に挿入されていることをもって遊戯時間に応じたポイントを与え、遊戯状況を管理するために用いられる。
このため、本実施形態のカードリーダ１は、例えば、遊戯場やカジノ等の遊戯機等である所定の上位装置１９に搭載されて使用される。
【００１７】
また、図１〜図３に示すように、本実施形態では、Ｘ１方向にカード２が挿入され、Ｘ２方向にカード２が引き抜かれる。すなわち、Ｘ１方向は、カード２の挿入方向である。また、Ｘ１方向側は、カード２の挿入方向における奥側である。また、Ｘ２方向側は、カード２の挿入方向における手前側である。したがって、以下では、Ｘ１方向側を「奥」側、Ｘ２方向側を「手前」側と称する。
【００１８】
カード２は、例えば、厚さが０．７〜０．８ｍｍ程度の矩形状の塩化ビニール製のカード状の磁気記録媒体である。カード２の一面には、磁気信号が記録情報として記録される磁気ストライプ２ａが形成されている。カード２の使用形態は特に限定されないが、上述のように、遊戯場やカジノ等で使用される遊戯者のユーザ用カードとして用いてもよい。なお、カード２は、厚さが０．１８〜０．３６ｍｍ程度のＰＥＴ（ポリエチレンテレフタレート）カードや、紙カード等であってもよい。
【００１９】
外観構成として、カードリーダ１は、図１〜図３に示すように、カード２を挿入するカード挿入部３と、挿入されたカード２の後端部２２がカード挿入部３から露出した状態でカード２を収容するカード収容部４とを備えている。
【００２０】
カード挿入部３は、ユーザによるカード２を挿入又は引き抜く部位である。カード挿入部３には、図１及び図３の例に示すように、カード２を挿入するためのスリット状のカード挿入口が形成されている。カード挿入口は、カード２がカードリーダ１内のカード通過路５に挿入しやすいように内部に向かって先細る形状からなる部材で構成されている。また、カード挿入部３には、遊戯装置等に取り付けるためのフランジ３１が設けられている。カードリーダ１の奥側に挿入されたカード２の一部はカード挿入部３から露出する。
【００２１】
カード収容部４は、カード挿入部３から挿入されたカード２を収容する部位であり、図１〜図３に示すように、上部材４１と下部材４２とを合わせた内部に収容スペースが形成されている。すなわち、カード２の収容スペースは、上部材４１と下部材４２とから構成されている。また、上部材４１と下部材４２とは、例えば、樹脂成形体であってもよい。また、上部材４１と下部材４２とは、図１〜図３に示すように、他の部材に、例えばネジ等で接続される接続ホール４３、４４とを有している。
【００２２】
また、カード収容部４は、カード通過路５が形成され、磁気ヘッド６、フロント検出機構７、リア検出機構８、回路基板９を備えている。
【００２３】
上述したように、カード収容部４に挿入されたカード２は、後端部２２がカード挿入部３から所定の長さだけ露出した状態で収容される。露出する長さは、カード収容部４内に保持されたカード２を、ユーザが手で抜き取る際に掴みやすい長さであってもよい。
また、図２、図３に示すように、カード収容部４の内部には、カード挿入部３のカード挿入口から挿入されるカード２が直線上に通過するカード通過路５が形成されている。すなわち、カード通過路５は、カード挿入口から繋がるように形成されている。
【００２４】
また、図３（ｂ）に示すように、カード収容部４のカード通過路５の奥には、ストッパー４５が設けられている。カード２の前端部２１がストッパー４５に当接することで、カード２のカード収容部４内での位置決めが行われる。このため、カード２の長さは、ストッパー４５により規制することができる範囲であれば、カードの使用形態や用途に応じて変更可能である。
また、カード収容部４には、カード収容部４の奥部で前端部２１を押圧等で保持する保持部材４６も設けられている。また、保持部材４６は、ユーザによるカード２の引き抜き動作により、奥部で保持された前端部２１を開放する。
【００２５】
また、図２、図３に示すように、磁気ヘッド６は、カードリーダ１の手前端側に配置されている。また、磁気ヘッド６は、本実施形態においては、カード通過路５の下側に配置されている。
本実施形態の磁気ヘッド６は、カード収容部４に収容されるカード２の記録情報を読み取る読取部である。具体的には、磁気ヘッド６は、磁気ストライプ２ａに書き込まれた記録情報を磁気信号として読み出して再生する。本実施形態のディップ式のカードリーダ１において、磁気ヘッド６は、カード２がカード収容部４に収容される際、及び、カード収容部４に収容されたカード２が引き抜かれる際に、カード２の磁気ストライプ２ａが摺動されることで、磁気ストライプ２ａの各トラックの磁気信号を読み取る。この際、まず、磁気ヘッド６で読み取られたカード２の磁気ストライプ２ａ等の磁気信号は、アナログ信号として出力される。なお、カードリーダ１は、磁気ヘッド６以外にも、ＩＣ接点やＲＦ（Radio Frequency）ＩＤのように非接触の送受信手段等でカード２の記録情報を読み取ることが可能な読取部を備えていてもよい。
【００２６】
フロント検出機構７は、カード挿入部３からカード収容部４にカード２が挿入されたことを検出する第１検出手段である。本実施形態において、フロント検出機構７は、接触部材であるセンサ板７１と、センサ板の変位を検出するフロントセンサ７２とを備える機械式の検出手段として構成される。フロント検出機構７は、カードリーダ１のカード収容部４の手前側に配置される。よって、通常、カード挿入部３のカード挿入口からからカード２が挿入されたことを検出する。
【００２７】
リア検出機構８は、カードリーダ１のカード収容部４の奧側に配置され、通常、カード収容部４の奧端側までカード２が挿入されたことを検出する第２検出手段である。すなわち、リア検出機構８は、カード２の前端部２１の先端部がカード通過路５の奥端側に到達してカード２が到達したことを検出する。
【００２８】
具体的にいうと、本実施形態において、カード２は、ユーザによりカード挿入部３に挿入されて、奥側のカード停止位置に到達し、その後、引き抜かれる。これにより、磁気ストライプ２ａの磁気信号が磁気ヘッド６により読み取られる。また、カード２が挿入され、停止位置まで到達したことは、それぞれ、フロント検出機構７とリア検出機構８とにより検出される。
【００２９】
回路基板９は、カード収容部４の上部材４１と下部材４２により保持されたプリント基板等である。回路基板９は、フロント検出機構７及びリア検出機構８からの信号が接続され、磁気ヘッド６からの磁気信号を取得し、各部を制御するための各種回路を含んでいる。回路基板９は、フロント検出機構７及びリア検出機構８によって検出されたカード２の状態に対応したカード保持信号又はカード開放信号を、制御部１２（図４）によって上位装置１９に通知することも可能である。すなわち、回路基板９は、上位装置１９に通知するためのインタフェース等も含む。また、回路基板９には、例えば、磁気ヘッド６や各種の電子部品が搭載されており、奥側には、外部との信号授受を行うコネクター部品が設けられていてもよい。
【００３０】
ここで、より具体的に、フロント検出機構７及びリア検出機構８の構成について説明する。図３（ａ）、（ｂ）に示すように、フロント検出機構７は、センサ板７１とフロントセンサ７２とを備えている。センサ板７１は、例えば、金属製の薄板で形成された板バネであり、カード２に接触するカード接触部７１ｂと、フロントセンサ７２の発光素子と受光素子との間を遮る遮光部７１ａとを備えている。また、センサ板７１の奥端側は、カード通過路５を構成するカード収容部４及び図示しないカードリーダ１の本体フレームに固定されている。フロントセンサ７２は、例えば、発光素子と受光素子とを備える光学式のセンサである。フロントセンサ７２は、センサ板７１の変位を検出する。
【００３１】
図３（ａ）のように、カード挿入口からカード２が挿入されていないときには、カード接触部の一部はカード通過路５の中に突出している。この状態では、遮光部７１ａは、フロントセンサ７２の発光素子と受光素子との間を遮っていない。一方、図３（ｂ）のように、カード挿入口からカード２が挿入されて、カード２の表面がカード接触部７１ｂに接触すると、センサ板７１が撓んで、遮光部７１ａが移動し、フロントセンサ７２の発光素子と受光素子との間を遮る。このように、遮光部７１ａがフロントセンサ７２の発光素子と受光素子との間を遮ることで、カード挿入口からカード２が挿入されたことが検出される。
【００３２】
リア検出機構８は、カードリーダ１の奥端側に配置されている。また、リア検出機構８は、カードリーダ１の奥端側までカード２が挿入されたことを検出する。すなわち、リア検出機構８は、フロント検出機構７よりもカード２の挿入方向における奥側に配置される第２検出手段である。リア検出機構８は、フロント検出機構７と同様に、カード２が接触するセンサ板８１と、センサ板の変位を検出するリアセンサ８２とを備える機械式の検出手段として構成される。すなわち、リア検出機構８は、通常、カード２の先端がカード搬送路の奥端側に到達し、カード２がカード停止位置に到達したことを検出する。具体的には、リア検出機構８は、カード２がカード収容部４の内部に挿入され、ストッパー４５に当接して保持部材４６によって保持された位置にあることを検出する。
【００３３】
図３に示すように、リア検出機構８は、リアセンサ８２とセンサ板８１とを備えている。
センサ板８１は、センサ板７１と同様に、例えば、金属製の薄板で形成された板バネであり、カード２に接触するカード接触部８１ｂと、リアセンサ８２の発光素子と受光素子との間を遮る遮光部８１ａとを備えている。センサ板８１の手前端側は、カード通過路５を構成するカード収容部４及びカードリーダ１の本体フレームに固定されている。
また、リアセンサ８２は、例えば、フロントセンサ７２と同様に、発光素子と受光素子とを備える光学式のセンサである。また、リアセンサ８２は、センサ板８１の変位を検出する。
【００３４】
図３（ａ）のように、カード２の先端がカード通過路５の奥端側に到達していないときには、カード接触部の一部はカード通過路５の中に突出している。この状態では、遮光部８１ａは、リアセンサ８２の発光素子と受光素子との間を遮っていない。一方、図３（ｂ）のように、カード２の先端がカード通過路５の奥端側に到達して、カード２の表面がカード接触部に接触すると、センサ板８１が撓んで、遮光部８１ａが移動し、リアセンサ８２の発光素子と受光素子との間を遮る。このように、遮光部８１ａがリアセンサ８２の発光素子と受光素子との間を遮ることで、カード２の先端がカード通過路５の奥端側に到達してカード２が停止したことが検出される。
【００３５】
具体的には、図３（ａ）、（ｂ）によれば、カード２が挿入されることで、フロント検出機構７及びリア検出機構８において、センサ板７１、８１がカード２の搬送方向の垂直方向に回転してフロントセンサ７２、リアセンサ８２を押下することで、カード２の挿入が検出される。このカード２の挿入の際には、正常であれば、カード収容部４にカード２が挿入されている奧端側までの距離に対応して、
（１）フロントセンサ７２及びリアセンサ８２で出力信号が検出されない状態、
（２）フロントセンサ７２のみで出力信号を検出され、リアセンサ８２で出力信号が検出されない状態、
（３）フロントセンサ７２及びリアセンサ８２で出力信号が検出される状態
の三状態に変化する。
【００３６】
また、カードの引き抜きの際には、正常であれば、
（１）フロントセンサ７２及びリアセンサ８２で出力信号が検出される状態、
（２）フロントセンサ７２のみで出力信号を検出され、リアセンサ８２で出力信号が検出されない状態、
（３）フロントセンサ７２及びリアセンサ８２で出力信号が検出されない状態
の三状態に変化する。
つまり、正常なカード２読み取り処理においては、リア検出機構８のみで信号が検出されフロント検出機構７で信号が検出されない状態にはならない。このため、本実施形態では、後述するように、このようなフロント検出機構７及びリア検出機構８の状態に対応した信号の検出の条件と、磁気ヘッド６からの磁気信号とにより、不正な操作を検出して、センサ異常として警告を行う。
【００３７】
なお、本実施形態のフロント検出機構７は、カード２が接触する接触部材であるセンサ板７１と、接触部材であるセンサ板７１の変位を検出するセンサであるフロントセンサ７２とを備える機械式の検出手段である。また、本実施形態のリア検出機構８は、フロント検出機構７と同様に、カード２が接触する接触部材であるセンサ板８１と、接触部材であるセンサ板８１の変位を検出するセンサであるリアセンサ８２を備える機械式の検出手段である。また、本実施形態のフロント検出機構７は第１検出手段であり、フロントセンサ７２は第１検出部である。また、本実施形態のリア検出機構８は、第１検出手段であるフロント検出機構７よりも奥側に配置される第２検出手段であり、リアセンサ８２は第２検出部である。
【００３８】
また、カード２がＩＣチップを備えている場合、リア検出機構８は、カード２の先端が保持部材４６に係合して、カード２のＩＣチップにＩＣ接点が接触した状態でカード２が到達したことを検出してもよい。また、上述の説明では、機械式検出機構を用いる例について示したものの、フロント検出機構７及びリア検出機構８は、カード２の挿入や奧端への接触を静電容量や電気接点や超音波等により検出する機構であってもよい。
【００３９】
図４は、図１〜図３に示すカードリーダ１の回路基板９に搭載されている制御部１２及びその関連部の構成を示すブロック図である。
【００４０】
カードリーダ１は、タイマ部１１、制御部１２、記憶部１３、及びインタフェース部１４を含んでいる。
【００４１】
タイマ部１１は、例えば、計測する時間を設定可能なタイマである。タイマ部１１は、例えば、水晶発振子を備えたリアルタイムクロック等である。また、タイマ部１１は、例えば、フロント検出機構７及び／又はリア検出機構８によりカード２が検出されてからの時間を計測する。なお、制御部１２の内蔵タイマをタイマ部１１として用いるような構成も可能である。
【００４２】
制御部１２は、カードリーダ１の各部の制御を行うための制御演算手段である。具体的には、制御部１２は、各部を統合的に制御し、磁気信号の読み取りや書き込みを制御する。制御部１２は、本実施形態では、ＣＰＵ（Central Processing Unit）と呼ばれる制御演算手段等から構成される。
制御部１２は、カード２を読み書きし、インタフェース部１４を介して、遊戯機本体等に備えられた上位装置１９と通信する。なお、制御部１２は、カードリーダ１が搭載される上位装置１９を制御する上位制御部を備えていてもよい。
【００４３】
また、制御部１２には、磁気ヘッド６が接続されている。制御部１２は、磁気ヘッド６からの磁気信号をデータ処理し、復号することが可能である。
また、制御部１２には、フロントセンサ７２とリアセンサ８２とが接続されており、フロントセンサ７２からの出力信号とリアセンサ８２からの出力信号とが入力される。
また、制御部１２は、各部を制御するための周辺回路も含んでいる。
【００４４】
記憶部１３は、制御部１２により実行される制御プログラムを含む各種プログラム及びデータが格納されるＲＯＭ（Read Only Memory）と、制御部１２のワーキングエリア等となるＲＡＭ（Random Access Memory）とを含む一時的でない記録媒体である。なお、記憶部１３は、フラッシュメモリやＨＤＤ等の不揮発性の記憶手段を備えていてもよい。
【００４５】
また、制御部１２は、機能ブロックとして、状態監視部１００を含んでいる。
状態監視部１００は、フロントセンサ７２及びリアセンサ８２におけるカード２の検出の関係により、不正を検出する。
具体的には、状態監視部１００は、フロントセンサ７２及びリアセンサ８２におけるカード２の検出の関係と併せて不正を検出する。この際、状態監視部１００は、磁気ヘッド６からの出力信号の検知を併せて不正を検出してもよい。
【００４６】
より具体的に説明すると、状態監視部１００は、フロントセンサ７２とリアセンサ８２でカードが検出されているとき、さらに、磁気ヘッド６から所定以上の磁気信号が出力された場合に不正であることを検出する。また、状態監視部１００は、フロントセンサ７２でカード２の挿入が検出されずに、リアセンサ８２でカード２の挿入が検出された場合にも、フロントセンサ７２だけ異常が生じていると判断して不正であることを検出する。また、状態監視部１００は、フロントセンサ７２でカード２の挿入が検出され、更にリアセンサ８２でカード２の挿入が検出された状態で、フロントセンサ７２でカード２が検出されなくなった場合にも不正であることを検出する。
【００４７】
また、状態監視部１００は、不正にカード２が処理されたことを通知するアラーム部１０１を備える。アラーム部１０１は、カードが正常に引き抜きされない場合、すなわち、状態監視部１００にて不正が検出された場合に、アラームを発する。アラーム部１０１は、例えば、上位装置１９へ特定のアラームのコマンドや信号線等でアラームを送信する。また、アラーム部１０１は、カード２がカード収容部４に途中停留していることを示す途中停留通知信号を送信することも可能である。
【００４８】
制御部１２は、記憶部１３のＲＯＭに格納された制御プログラムを実行することで、状態監視部１００として機能させることが可能となる。また、制御部１２は、記憶部１３のＲＯＭ内に記憶された制御プログラムを実行することで、アラーム部１０１として機能させることが可能となる。
【００４９】
〔カード挿入処理〕
次に、図５により、本発明の実施の形態に係るカードリーダ１によるカード挿入処理の説明を行う。
図５は、図１に示すカードリーダ１の制御フローの一例を示すフローチャートである。また、図５のカード挿入処理は、本実施形態のカード状媒体処理装置の制御方法の処理を示す。すなわち、本実施形態のカード挿入処理は、カード２の挿入時の制御方法の一例である。
本実施形態のカード挿入処理は、主に制御部１２の状態監視部１００が、記憶部１３に記憶された制御プログラムを、各部と協働し、ハードウェア資源を用いて実行する。
以下で、図５のフローチャートにより、本実施形態のカード挿入処理の詳細をステップ毎に説明する。
【００５０】
（ステップＳ１）
まず、状態監視部１００が、フロントセンサ７２からの出力信号に基づいて、フロント検出機構７で、カード挿入口からのカード２の挿入が検出された（Ｙｅｓ）か、否（Ｎｏ）かを判断する。
Ｙｅｓの場合、状態監視部１００は、処理をステップＳ２に進める。
Ｎｏの場合、状態監視部１００は、フロント検出機構７でのカード２の挿入の検出待ちをする。
【００５１】
（ステップＳ２）
ステップＳ１で、カード挿入口からのカード２の挿入が検出されると、状態監視部１００が、磁気ヘッド６によるカード２に記録された磁気データの読み取りを開始する。
【００５２】
（ステップＳ３）
その後、状態監視部１００が、リアセンサ８２からの出力信号に基づいて、リア検出機構８で、カードリーダ１の奥端側へのカード２の挿入が検出された（Ｙｅｓ）か、否（Ｎｏ）かを判断する。つまり、状態監視部１００は、ユーザによるカード２の挿入が完了したか否かを判断する。
Ｙｅｓの場合、状態監視部１００は、処理をステップＳ４に進める。
Ｎｏの場合、状態監視部１００は、処理をステップＳ２に戻す。
【００５３】
（ステップＳ４）
ステップＳ３で、カードリーダ１の奥端側へのカード２の挿入が検出されると、状態監視部１００が、磁気ヘッド６によるカード２の磁気データの読み取りを終了する。
【００５４】
（ステップＳ５）
ここで、状態監視部１００が、カードリーダ１にカード２が正常挿入されたことを知らせるカード２の正常挿入信号を上位装置１９へ送信する。上位装置１９に正常挿入信号が入力されると、上位装置１９は、例えば、磁気ヘッド６で読み取られた磁気データを読み出す。また、上位装置１９は、カードリーダ１からカード２を引き抜くようにユーザに促す表示を所定の表示部等に表示させる。以上により、本発明の実施の形態に係るカード挿入処理を終了する。
【００５５】
〔カード引抜処理〕
次に、図６により、本発明の実施の形態に係るカードリーダ１によるカード引抜処理の説明を行う。
図６は、図１に示すカードリーダ１の制御フローの一例を示すフローチャートである。また、図６のカード引抜処理は、本実施形態のカード状媒体処理装置の制御方法の処理を示す。すなわち、本実施形態のカード引抜処理は、カード２の引き抜き時の制御方法の一例である。
本実施形態のカード引抜処理は、主に制御部１２の状態監視部１００が、記憶部１３に記憶された制御プログラムを、各部と協働し、ハードウェア資源を用いて実行する。
以下で、図６のフローチャートにより、本実施形態のカード引抜処理の詳細をステップ毎に説明する。
【００５６】
（ステップＳ６）
上述のように、上位装置１９の表示部は、カードリーダ１からカード２を引き抜くようにユーザに促す表示が表示される。この上で、ユーザがカード２を引き抜くと、リア検出機構８によりカード２が検出されない状態となり、リアセンサ８２からも検出信号が出力されなくなる。このため、状態監視部１００が、リアセンサ８２からの検出信号が出力された（Ｙｅｓ）か、否（Ｎｏ）かを判断する。
Ｙｅｓの場合、状態監視部１００は、処理をステップＳ１２に進める。
Ｎｏの場合、状態監視部１００は、処理をステップＳ７に進める。
【００５７】
（ステップＳ７）
状態監視部１００が、リアセンサ８２からの検出信号が出力されなくなると、カードの引抜き動作が開始されたと判断し、タイマ部１１を所定時間に設定して、時間の計測を開始する。
【００５８】
（ステップＳ８）
状態監視部１００が、フロントセンサ７２からの検出信号に基づいて、フロント検出機構７で、カード挿入部３のカード挿入口からのカード２の引抜きが検出されたか否かを判断する。すなわち、状態監視部１００は、フロントセンサ７２からの検出信号が出力された（Ｙｅｓ）か、否（Ｎｏ）かを判断する。また、状態監視部１００は、タイマ部１１で所定時間が経過した場合にもＹｅｓと判断する。
Ｙｅｓの場合、状態監視部１００は、処理をステップＳ９に進める。
Ｎｏの場合、状態監視部１００は、タイマ部１１を参照し、設定された所定時間を経過するまで待機する。
【００５９】
（ステップＳ９）
カード２の引抜きが検出された場合、状態監視部１００が、カード２の引抜きが、タイマ部１１でタイマに設定された所定時間内である（Ｙｅｓ）か、否（Ｎｏ）かを判断する。
Ｙｅｓの場合、状態監視部１００は、処理をステップＳ１０に進める。
Ｎｏの場合、状態監視部１００は、処理をステップＳ１１に進める。
【００６０】
（ステップＳ１０）
カード２の引抜きがタイマ部１１に設定された所定時間内であれば、状態監視部１００が、カード２の引抜きが正常に行われたと判断し、本実施形態のカード引抜処理を正常に終了する。この際、状態監視部１００は、正常終了信号を上位装置１９に発信する。
その後、状態監視部１００は、本実施形態のカード引抜処理を終了する。
【００６１】
（ステップＳ１１）
カード２の引抜きがタイマ部に設定された所定時間以内でない、即ち、所定時間を超えていた場合、状態監視部１００が、カード収容部４内にカード２は途中で停留したとして判断して、アラーム部１０１により途中停留通知信号を上位装置１９に通知する。
その後、状態監視部１００は、本実施形態のカード引抜処理を終了する。
【００６２】
上位装置１９に途中停留通知信号が入力されると、上位装置１９は、例えば、上述の場合は、カードリーダ１にカード２の取忘れがあることをユーザに知らせる表示を表示部等に表示させる。または、メンテナンスが必要であることをユーザに知らせる表示を表示部等に表示させる。その後、状態監視部１００は、カード引抜処理を終了する。
【００６３】
（ステップＳ１２）
ここで、ステップＳ６にてリアセンサ８２からの検出信号を出力したままである場合、更に、状態監視部１００が、フロント検出機構７で、カード挿入部３のカード挿入口からのカード２の引き抜きが検出されたか否かを判断する。具体的には、状態監視部１００は、フロントセンサ７２からの検出信号が出力されている（Ｙｅｓ）場合に、まだカード２が引き抜かれていないと判断する。また、状態監視部１００は、フロントセンサ７２からの検出信号が出力されなくなった（Ｎｏ）場合に、引き抜かれたと判断する。
Ｙｅｓの場合、すなわち、フロントセンサ７２から検出信号が出力されている場合には、状態監視部１００は、処理をステップＳ１３に進める。
もし、Ｎｏの場合、すなわち、フロントセンサ７２から検出信号が出力されていない場合には、状態監視部１００は、カード２の引抜きが不正に行われたと判断し、処理をステップＳ１４に進める。
【００６４】
（ステップＳ１３）
また、フロント検出機構７でカード挿入口からのカード２の引抜きが検出されない場合でも、状態監視部１００が、磁気ヘッド６から所定以上の出力信号を検出した（Ｙｅｓ）か、否（Ｎｏ）かを判断する。
Ｙｅｓの場合、状態監視部１００は、カード２の引抜きが不正に行われたと判断し、処理をステップＳ１３に進める。すなわち、磁気ヘッド６は、カード２が挿入方向または引抜き方向に移動する際、磁気ストライプが磁気ヘッドに摺動することにより、磁気ストライプ２ａ上に記録されている磁気信号を出力する。そのため、状態監視部１００は、リアセンサ８２、フロントセンサ７２から出力信号が変化しないのに、磁気ヘッド６で所定以上の磁気信号が検出された場合には、挿入されたカード２が不正に引き抜かれていると判断する。
Ｎｏの場合、状態監視部１００は、処理をステップＳ６に戻す。すなわち、状態監視部１００は、フロントセンサ７２からの出力信号に基づいて、フロント検出機構７で、カード挿入部３のカード挿入口からのカード２の引き抜きが検出されない場合でも、磁気ヘッド６からの出力信号が検出されない場合は、ステップＳ６に処理を戻す。この際、上位装置１９に、例えば、カードリーダ１からカード２を引き抜くようにユーザに促す表示を表示部等に表示させる。
【００６５】
（ステップＳ１４）
ここで、状態監視部１００が、アラーム部１０１を起動して、異常終了信号として、アラームを上位装置１９に送信する。上位装置１９にアラームが入力されると、上位装置１９は、例えば、カードリーダ１が使用不可であることをユーザに知らせる表示を表示部等に表示させる。また、上位装置１９は、メンテナンスが必要であることをユーザに知らせる表示を表示部等に表示させる。以上により、本発明の実施の形態に係るカード引き抜き処理を終了する。
【００６６】
〔本実施形態の主な効果〕
以上のように構成することで、以下のような効果を得ることができる。
本発明の実施の形態に係るカードリーダ１は、カード２をカード状媒体処理装置のユーザが手動で操作する手動式のカード処理装置であって、カード２を挿入するカード挿入部３と、挿入されたカード２の後端部２２がカード挿入部３から露出した状態でカードを収容するカード収容部４と、カード収容部４に収容されるカード２の磁気ストライプ２ａに記録された記録情報を読み取る磁気ヘッド６と、カード挿入部３からカード収容部４にカード２が挿入されたことを検出するフロントセンサ７２と、フロントセンサ７２よりもカード２の挿入方向における奥側に配置され、カード２が挿入されたことを検出するリアセンサ８２と、フロントセンサ７２及びリアセンサ８２におけるカード２の検出の関係により、不正を検出する状態監視部１００とを備えるカード処理装置であることを特徴とする。
このように構成することで、例えば、カード２の挿入の際、不正な操作ではフロント検出機構７のフロントセンサ７２で信号を検出してからリア検出機構８のリアセンサ８２で信号を検出するとは限らないという状況において、フロントセンサ７２ではカード２の挿入が未検出であるのにリアセンサ８２で検出信号が出力されたら、上位装置１９に対して警告することが可能となる。これにより、不正目的の操作に対してのセキュリティ性能を、従来より高めることができる。
【００６７】
また、本発明の実施の形態に係るカードリーダ１は、状態監視部１００は、不正にカード２が処理されたことを通知するアラーム部１０１を備えることを特徴とする。
このように構成されることで、本実施形態のカードリーダ１は、カード２と一緒に遮蔽物が押し込まれ、それが滞留してリア検出機構８のリアセンサ８２に検出され、カード２の引き抜きが検出できなかったような場合でも、フロント検出機構７のフロントセンサ７２の検出信号が出力されなくなった時点で、アラーム通知を行うことができる。
また、カード２の挿入の待機中に、フロント検出機構７のない箇所から細長い遮蔽物が挿入等されてリア検出機構８のリアセンサ８２だけを遮蔽されたような場合であっても、アラーム通知を行うことができる。
このように、上位装置１９に対して、センサ異常のアラーム通知がされるので、カードリーダ１にて継続処理できないことを通知することができる。そして、挿入されたカード２に異常が発生している可能性について判断できる。
【００６８】
また、本実施形態のカードリーダ１により、無人で放置されているカードリーダ１に、何者かが悪戯をした場合でも、その監視をすることができる。このため、次のユーザがカードリーダ１を使用する以前に、上位装置１９側で異常を検知し、カード２の読み取り等の処理を停止させることができる。
また、リア検出機構８までのカード２の挿入が正常でも、リア検出機構８のリアセンサ８２の検出信号があるためカード２の引き抜きが未検出の状態で、フロント検出機構７のフロントセンサ７２の検出信号が出力されなくなることでカード２の通過を確認すれば、状態監視部は、上位装置１９に対してアラーム通知を行うことができる。すなわち、不正目的の操作により、カード２の引き抜き時にリア検出機構８からのカード２の引き抜きの確認ができなくなるといった状況に対応できる。
【００６９】
また、本発明の実施の形態に係るカードリーダ１は、フロント検出機構７のフロントセンサ７２及びリア検出機構８のリアセンサ８２は、カードが接触する接触部材と、接触部材の変位を検出するセンサとを備える機械式の検出手段であることを特徴とする。
このように構成すると、発光素子と受光素子との間をカード状媒体が遮る等することでカード２を検出する光学式の検出手段では検出が困難な透明なカード状媒体や角が丸くなっているカード状媒体等の規格外のカード状媒体であっても、フロント検出機構７のフロントセンサ７２で適切に検出することが可能になる。一方、フロント検出機構７が接触部材であるセンサ板７１が摩耗する等の異常が生じても、状態監視部１００の判断結果に基づいて、フロント検出機構７の異常を検出することが可能になる。
【００７０】
また、特定の業界では、カード２が装置内にある間、記録情報内のポイント情報に対し加点を行うような処理を行っている。このような処理を行うような装置において、正常なカード２が引き抜かれても、引き抜きがされていないように欺瞞する細工をカードリーダ１のフロント検出機構７及びリア検出機構８に施し、偽造カード２に差し替えるといった不正処理が行われることがある。このような不正が行われると、正常なカード２が引き抜かれているのに、ポイント加点が継続されてしまう。
これに対して、本実施形態のカードリーダ１は、状態監視部１００は、磁気ヘッド６からの出力信号を検知し、フロントセンサ７２及びリアセンサ８２におけるカードの検出の関係と併せて不正を検出することを特徴とする。
このように構成することで、上述のような不正処理を防止できる。
【００７１】
また、フロント検出機構７及びリア検出機構８の信号の検出の条件と一致しない磁気信号が読み取られた場合に、異常状態として、警告することが可能となる。また、不正カード等で読み取り処理が無効になった後で、正常な磁気信号が読み取られた場合にも、警告することができる。具体的には、スキミング等の不正目的で、フロント検出機構７及びリア検出機構８に細工を行って、カード２をゆっくり引き抜く等の操作を行っても、次のユーザのカード２の挿入操作時に、アラーム通知を行うことが可能となる。
つまり、不正カード等の引き抜きが検出されないようにしても、次の正規ユーザがカード２を挿入すれば、そのカード２の挿入操作又は引き抜き操作により磁気信号が発生し、これを検知可能である。
このような構成により、不正目的でカードリーダ１に細工された場合であっても、正規ユーザに対して警告して対応させることができる。
【００７２】
〔他の実施の形態〕
上述した実施の形態は、本発明の好適な実施の形態の一例ではあるが、これに限定されるものではなく本発明の要旨を変更しない範囲において、種々変形実施が可能である。
【００７３】
また、タイマ部１１は、リア検出機構８でカード挿入部３から挿入されたカード２がカード停止位置まで挿入されたことを検出し、挿入されたカードが引き抜かれてから、所定時間を設定して計測してもよい。この場合、磁気ヘッド６が読み取った磁気データが編集された後に、タイマ部１１で設定された所定時間が経過すると読み取りデータ保存バッファに記憶されているデータを消去してもよい。
【００７４】
また、上述の実施の形態では、カード２の挿入を監視する際、フロント検出機構７でカード検出を待機し、検出後にリア検出機構８へのカード到達を待機するように記載した。つまり、フロント検出機構７が検出することで、奥への遮蔽物の押し込みを判断する。
これに対して、カード２の挿入を監視する際、タイマ部１１にて、フロント検出機構７へのカード２の挿入の検出から所定時間を計測するように構成してもよい。この場合、その所定時間内に、リア検出機構８までカードが押し込まれずにリア検出機構８でカードが検出されないと、途中でカードが停止したと扱う。
このように構成することで、カード２の挿入の待機中に、フロント検出機構７のない箇所から細長い遮蔽物等が挿入されて、リア検出機構８だけを遮蔽されたような場合でも、不正を検出することが可能となる。
【００７５】
また、上述の実施の形態においては、リア検出機構８からカード２の引き抜きを検出する際、フロント検出機構７の検出信号が出力の有無及び磁気信号の組み合わせで警告するか否かを判断するように記載した。しかしながら、この組み合わせの一方だけで判断してもよいし、更なる信号と組み合わせて判断することも可能である。
【００７６】
また、データ処理部において、例えば、ＣＬＳ（Card Loading Signal）信号、ＲＣＰ（Reading Clock Pulse）信号、ＲＤＤ（Reading Decode Data）信号の３種類の出力信号を出力する。ＣＬＳ信号は、磁気ヘッド６のＦ２Ｆ信号を基に出力される、カードリーダ１にカード２が挿入されたことを示すカード挿入信号である。ＲＣＰ信号は、標準的なクロック信号である。ＲＤＤ信号は、実際に記録されたデータを含むデータ信号である。
【００７７】
たとえば、状態監視部１００は、磁気ヘッド６から取得する磁気信号の特定量として、カード２の挿入信号の継続時間及び／又はクロック信号のクロック数を基に設定された値を検出して、不正を検出してもよい。このように構成することで、不正目的で行われるカード２の引き抜きが行われた場合でも、その後の磁気信号の検知により不正を確実に検出することが可能となる。すなわち、実際のフロント検出機構７及びリア検出機構８の検出信号の出力と、磁気ヘッド６からのＣＬＳ信号又はＲＣＰ信号とを参照して、より正確に不正を検出できる。
【００７８】
また、この場合、状態監視部１００は、データ処理部で処理した磁気ヘッド６からの磁気信号の特定量として、ＣＬＳ信号の継続時間及び／又はＲＣＰ信号のクロック数を基に設定された値を用いて、判断してもよい。タイマ部１１で計測される特定時間は、例えば、数秒程度を設定可能である。
【００７９】
また、状態監視部１００は、カード２の挿入が完了したか否かを判断してもよい。たとえば、状態監視部１００は、カードリーダ１の奥端側へのカード２の挿入を、リアセンサ８２の信号により検出する。この場合、状態監視部１００は、リアセンサ８２で検出信号が出力した場合に、カード２の挿入が完了した判断する。また、状態監視部１００は、ＣＬＳ信号が出力されなくなった場合も、カード２の挿入操作が完了した判断する。また、状態監視部１００は、それ以外の場合には、カード２の挿入操作が完了していないと判断する。
このように構成することで、柔軟に警告の有無やカードリーダ１の構成を変更することが可能となる。
【００８０】
また、上述の実施の形態においては、リア検出機構８でのカード２の検出、フロント検出機構７でのカード２の検出という引き抜き過程での警告を行う例について記載した。しかしながら、フロント検出機構７でのカード２の検出、リア検出機構８でのカード２の検出について同様に対応することで、カード２の読み取り過程での警告を行うことも可能である。
このように構成することで、フロント検出機構７でのカード２の検出を待機する過程で、リア検出機構８で先にカード２の挿入を検出した場合、外部から悪戯がされた恐れがあるとして、アラームを上位装置１９に送信するように構成することが可能である。すなわち、他のユーザが不正により被害を受けることを、事前に察知することが可能となる。
結果として、手動式及びカード搬送式のカードリーダについて、不正を防止するため警告することが可能となる。
【００８１】
なお、上記実施の形態の構成及び動作は例であって、本発明の趣旨を逸脱しない範囲で適宜変更して実行することができることは言うまでもない。
【符号の説明】
【００８２】
１  カードリーダ
２  カード
２ａ  磁気ストライプ
３  カード挿入部
４  カード収容部
５  カード通過路
６  磁気ヘッド
７  フロント検出機構
８  リア検出機構
９  回路基板
１１  タイマ部
１２  制御部
１３  記憶部
１４  インタフェース部
１９  上位装置
２１  前端部
２２  後端部
３１  フランジ
４１  上部材
４２  下部材
４３、４４  接続ホール
４５  ストッパー
４６  保持部材
７１、８１  センサ板
７１ａ、８１ａ  遮光部
７１ｂ、８１ｂ  カード接触部
７２  フロントセンサ
８２  リアセンサ
１００  状態監視部
１０１  アラーム部
【図１】
2018055573.tif 000003
【図２】
2018055573.tif 000004
【図３】
2018055573.tif 000005
【図４】
2018055573.tif 000006
【図５】
2018055573.tif 000007
【図６】
2018055573.tif 000008